【手続補正書】
【提出日】平成18年1月24日(2006.1.24)
【手続補正１】
【補正対象書類名】特許請求の範囲
【補正対象項目名】全文
【補正方法】変更
【補正の内容】
【特許請求の範囲】
【請求項１】
放送番組を受信する受信手段と、
前記受信手段により受信された放送番組を録画する録画手段と、
放送番組の中の任意の番組について録画開始時刻及び録画終了時刻を指定して録画予約する録画予約手段と、
電子番組情報を取得する番組情報取得手段と、
前記予約番組に関して取得した電子番組情報、及び、前記予約番組と同チャンネルであってかつ同日の前記予約番組以前に放送される番組に関して取得した電子番組情報に対して、番組の延長又は繰り下げを示唆する所定の延長キーワードを検索する延長キーワード検索手段と、
前記予約番組の録画終了時刻を延長する延長手段と
を備え、
前記延長手段は、
前記延長キーワード検索手段による検索の結果、前記延長キーワードが検出された番組が有る場合、
前記延長キーワードが検出された番組の数に、予め設定した延長時間長を乗じた積算延長時間長を求め、前記予約番組の録画終了時刻を前記求めた積算延長時間、延長すること
を特徴とする録画予約装置。
【請求項２】
前記延長手段により延長される録画終了時刻の延長時間長を設定する延長時間長設定手段をさらに有すること
を特徴とする請求項１に記載の録画予約装置。
【請求項３】
前記延長キーワードが、所定の語句であること
を特徴とする請求項１または２に記載の録画予約装置。
【請求項４】
前記延長キーワードが、複数の所定の語句の組み合わせであること
を特徴とする請求項１から３までのいずれかに記載の録画予約装置。
【請求項５】
前記複数の所定の語句の組み合わせは、所定の語句が検索された後、所定の文字数以内に、前記所定の語句とは異なる所定の語句が検索された場合であること
を特徴とする請求項４に記載の録画予約装置。
【請求項６】
前記延長キーワード検索手段は、
前記予約番組に関する前記取得した電子番組情報、及び、前記予約番組と同チャンネルであってかつ同日の前記予約番組以前に放送される番組に関する前記取得した電子番組情報に対して、番組の延長又は繰り下げを行わないことを示唆する所定の非延長キーワードを検索し、前記非延長キーワードが検出された番組に対して、前記延長キーワードの検索を実行しないこと
を特徴とする請求項１から５までのいずれかに記載の録画予約装置。
【請求項７】
前記延長キーワード検索手段は、
前記予約番組に関する前記取得した電子番組情報、及び、前記予約番組と同チャンネルであってかつ同日の前記予約番組以前に放送される番組に関する前記取得した電子番組情報に対して、番組の属しているジャンルを検出し、前記検出されたジャンルが予め設定されたジャンルと一致しなかった場合には、前記延長キーワードの検索を実行しないこと
を特徴とする請求項１から６までのいずれかに記載の録画予約装置。
【請求項８】
放送番組を受信し録画するために、放送番組の中の任意の番組について録画開始時刻及び録画終了時刻を指定して録画予約する録画予約方法において、
電子番組情報を取得する工程と、
前記予約番組に関して取得した電子番組情報、及び、前記予約番組と同チャンネルであってかつ同日の前記予約番組以前に放送される番組に関して取得した電子番組情報に対して、番組の延長又は繰り下げを示唆する所定の延長キーワードを検索する工程と、
前記予約番組の録画終了時刻を延長する工程と
を備え、
前記延長手段は、
前記延長キーワードを検索する工程における検索の結果、前記延長キーワードが検出された番組が有る場合、
前記延長キーワードが検出された番組の数に、予め設定した延長時間長を乗じた積算延長時間長を求め、前記予約番組の録画終了時刻を前記求めた積算延長時間、延長すること
を特徴とする録画予約方法。
【請求項９】
前記延長時間長を設定する工程をさらに有すること
を特徴とする請求項８に記載の録画予約方法。
【請求項１０】
前記延長キーワードが、所定の語句であること
を特徴とする請求項８または９に記載の録画予約方法。
【請求項１１】
前記延長キーワードが、複数の所定の語句の組み合わせであること
を特徴とする請求項８から１０までのいずれかに記載の録画予約方法。
【請求項１２】
前記複数の所定の語句の組み合わせは、所定の語句が検索された後、所定の文字数以内に、前記所定の語句とは異なる所定の語句が検索された場合であること
を特徴とする請求項１１に記載の録画予約方法。
【請求項１３】
前記延長キーワードを検索する工程において、
前記予約番組に関する前記取得した電子番組情報、及び、前記予約番組と同チャンネルであってかつ同日の前記予約番組以前に放送される番組に関する前記取得した電子番組情報に対して、番組の延長又は繰り下げを行わないことを示唆する所定の非延長キーワードを検索し、前記非延長キーワードが検出された番組に対して、前記延長キーワードの検索を実行しないこと
を特徴とする請求項８から１２までのいずれかに記載の録画予約方法。
【請求項１４】
前記延長キーワードを検索する工程において、
前記予約番組に関する前記取得した電子番組情報、及び、前記予約番組と同チャンネルであってかつ同日の前記予約番組以前に放送される番組に関する前記取得した電子番組情報に対して、番組の属しているジャンルを検出し、前記検出されたジャンルが予め設定されたジャンルと一致しなかった場合には、前記延長キーワードの検索を実行しないこと
を特徴とする請求項８から１３までのいずれかに記載の録画予約方法。
【手続補正２】
【補正対象書類名】明細書
【補正対象項目名】０００６
【補正方法】変更
【補正の内容】
【０００６】
本発明に係る録画予約装置は、
放送番組を受信する受信手段と、
前記受信手段により受信された放送番組を録画する録画手段と、
放送番組の中の任意の番組について録画開始時刻及び録画終了時刻を指定して録画予約する録画予約手段と、
電子番組情報を取得する番組情報取得手段と、
前記予約番組に関して取得した電子番組情報、及び、前記予約番組と同チャンネルであってかつ同日の前記予約番組以前に放送される番組に関して取得した電子番組情報に対して、番組の延長又は繰り下げを示唆する所定の延長キーワードを検索する延長キーワード検索手段と、
前記予約番組の録画終了時刻を延長する延長手段と
を備え、
前記延長手段は、
前記延長キーワード検索手段による検索の結果、前記延長キーワードが検出された番組が有る場合、
前記延長キーワードが検出された番組の数に、予め設定した延長時間長を乗じた積算延長時間長を求め、前記予約番組の録画終了時刻を前記求めた積算延長時間、延長すること
としたものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明に係る録画予約装置又は録画予約方法によれば、予約番組に関して取得した電子番組情報、及び、予約番組と同チャンネルであってかつ同日の前記予約番組以前に放送される番組に関して取得した電子番組情報に対して、番組の延長又は繰り下げを示唆する所定の延長キーワードを検索し、延長キーワードが検出された番組が有る場合には、延長キーワードが検出された番組の数に、予め設定した延長時間長を乗じた積算延長時間長を求め、予約番組の録画終了時刻を求めた積算延長時間、延長するので、予約番組及び予約番組より以前に放送された同チャンネルの番組が実際の放送において延長された場合であっても、予約番組の一部又は全部が録画されないという事態の発生を回避することができるという効果がある。